(57)【要約】【課題】籾酢を含浸した籾殻燻炭にポット育苗に好適な比重と流動性を付加し、ポット自動播種機でポットに投入する際の作業性を向上させる。また、水稲育苗に使用する用土の好適なＰＨ調整液を提供する。【解決手段】カルシウム粒状肥料および亜リン酸粒状肥料からなる混合物に籾酢を含浸させた籾殻燻炭を混合することにより、自動播種機で育苗ポットに投入する際の好適な比重と非ブロッキング性を付加するとともに、苗の成長に必要な栄養分を併せ持つ根域制限材組成物とする。ＰＨ調整液としては、ＰＨ４の籾酢とＰＨ１１．５の鶏糞燃焼灰水溶液との混合物を使用する。根域制限材組成物５を育苗ポット１の最下部に、ＰＨ調整液でＰＨを調整した培土４、覆土２および催芽籾３を配置する。【選択図】図１
2014200244.tif 000002
【特許請求の範囲】
【請求項１】
籾酢を含浸させた籾殻燻炭とカルシウム粒状肥料からなることを特徴とする水稲のポット育苗に使用する根域制限材組成物
【請求項２】
上記のカルシウム粒状肥料はカルシウム分が７５％以上であって、粒径は２〜４ｍｍであることを特徴とする請求項１の根域制限材組成物
【請求項３】
籾酢を含浸させた籾殻燻炭とカルシウム粒状肥料および亜リン酸粒状肥料からなることを特徴とする水稲のポット育苗に使用する請求項１の根域制限材組成物
【請求項４】
籾酢と鶏糞燃焼灰水溶液との混合液からなることを特徴とする水稲のポット育苗の用土用ＰＨ調整液
【発明の詳細な説明】
【技術分野】
【０００１】本発明は、水稲の播種、育苗に使用するポット育苗箱のポットに投入する根域制限材及び育苗に使用する培土や覆土等の用土のＰＨ調整液に関する。
【背景技術】
【０００２】水稲の育苗にあたっては、苗作りは大変重要な作業で、米の出来の良し悪しは苗の出来に大きく左右されるといわれている。そのため、成育の揃いが良く、病気に侵されず、田植後に活着の良い苗作りが重要である。そのため、種子の消毒はもちろん、育苗箱や育苗培土の消毒、殺菌にも細心の注意が払われている。
また、ポット育苗に使用する培土や覆土等の用土には苗の成長に必要な適度の肥料も必要であり、種々の改良がなされている。最近は、焼土に低度化成肥料（窒素：リン酸：カリ＝４：６：４）とピートモスを使用することも多くなっているが、一般農家で育苗に使用する土としては山土が主に使用されている。ポット育苗では、田圃の土を使用することもできるが、田圃の土を使うとその田圃は数年間、米の収穫量が低下するという問題がある。したがって、水稲のポット育苗用用土については従来、使用する素材や肥料、ＰＨ調整等多くの提案がなされている。【０００３】また、ポット育苗等においては出芽時の問題のほか、育苗時にポット間の根渡りによる根がらみの問題が有り、移植時の苗の分離を悪くしており、これが移植機の機械化精度を低下させる最大の原因となっている。つまり、積重ね出芽時には、ポットの底の穴から下に根が延びてポット同士のつながりが発生し箱同士が離れなくなる問題や、育苗時には、隣りのポット間への根渡り等が発生する問題がある。自動移植機ではポットの成苗根鉢体を列ごとに根鉢押し出し棒により押し出して１ポットづつ圃場に移植するが、根がらみがあると分離できず一定の間隔で苗を移植することができない。また、葉より根の成長が早いと根鉢体の強度が不足して移植時に壊れるトラブルが発生する。【０００４】  このような根がらみについては、従来から根域制限剤を使用した対応がとられている。文献１や文献２では植物育成用容器に水酸化第二銅等の根域制限剤を含有させた例が、また、文献３では銅系化合物を紙製シートに含有させた例が紹介されている。ただ、これらの根域制限材を用いる方法は、根域制限材である水酸化第二銅は水溶性がほとんどないため濃度の調整が難しく、また繰り返し使用が困難なためコスト的に高くなる。また、樹脂容器や樹脂シートに混練させる方法も考えられるが、混練は技術的に難しい。【０００５】  本出願人は、銅系の根域制限材に代わる新規な根域制限材として、籾殻燻炭に籾酢を含浸させた根域制限材を先に提案した（特願２０１２−２２１６８８号）。
この根域制限材は根域制限材としての効果は高いものの、ポット自動播種機等で投入する場合、籾殻燻炭であるため比重が小さく（比重は約０．１）、ポットへの投入の際の作業性に問題があった。【０００６】  また、ポット内に投入する培土や覆土等の用土のＰＨ調整剤については、文献４のように硫黄を用いた例、文献５のようにバーク堆肥に硫酸を使用する例がこれまでに提案されている。
【先行技術文献】
【特許文献】
【０００７】
【特許文献１】  特開Ｈ０６−１１３６７９号
【特許文献２】  特開Ｈ０７−９９８３７号
【特許文献３】  特開Ｈ０６−１１３６７６号
【特許文献４】  特開２００１−２８６２２１号
【特許文献５】  特開２００２−１２５４５５号
【発明の概要】
【発明が解決しようとする課題】
【０００８】  解決すべき課題の一つは、先に本出願人が提案した籾酢を含浸した籾殻燻炭に、ポット育苗箱に投入可能な比重と流動性を付加して、ポット自動播種機でのポットへの投入の作業性を向上させることである。
また、もう一つの課題は、ポット育苗の用土に使用する好適なＰＨ調整剤を提供し、水稲苗の成長に最適なＰＨを有する用土を提供することである。
【課題を解決するための手段】
【０００９】  本発明は第一に、籾酢を含浸させた籾殻燻炭の比重を大きくし、ポット自動播種機でのポット投入確率向上を図るものである。同時に苗の成長に必要な栄養分を備えたカルシウム粒状肥料からなる水稲のポット育苗に使用する根域制限材組成物を提供するものである。
籾殻燻炭にＰＨ４の籾酢を含浸させ、カルシウム粒状肥料と混合することにより、本発明の根域制限材組成物は完成する。
カルシウム粒状肥料はカルシウム分が７５％以上であって、粒径は２〜４ｍｍである。
粒径がこれ以下であると育苗ポット（図２）の透水孔から下に洩れ出したり、自然落下に不充分となるからである。同程度の粒径であれば、ブリッジにより下に洩れることはない。逆に粒径が４ｍｍ以上であるとポットに充填した場合空隙が生じる問題がある。
なお、窒素分を成分とする一般の化成肥料は、使用できない。その理由は、窒素分は加水により溶解、団子化してしまうので、ポットへの投入に支障が有るためである。この根域制限材組成物は、適度の比重を有しポット自動播種機での自然落下による投入が容易でありまた粒子のブロッキング（凝集）が生じ難いので均一なポット投入が可能となる。なお、ポット自動播種機とは、ポット育苗箱（縦６１９ｍｍ、横３１５ｍｍ、深さ２５ｍｍ、ポット数４４８穴）を供給して、ポット内にホッパーから、土入れ、播種、覆土等の作業を自動で行う機械である。
さらに、根域制限材には亜リン酸粒状肥料を含有することが望ましい。亜リン酸粒状肥料は、水に溶解後、苗の根の先端部分からリン酸を吸収するので健苗育成に効果的である。
本発明の第二は、籾酢と鶏糞燃焼灰水溶液からなる水稲のポット育苗の用土用ＰＨ調整液である。これまでに提案された硫酸や塩酸は化学薬品であり取扱いが難しくまた安全性に問題がある。また、硫黄粉では、作業環境も悪化し、ＰＨの調整も容易とはいえない。
これに対して、本発明の籾酢と鶏糞燃焼灰水溶液の混合物によるＰＨ調整液は、天然素材であり人体にも無害であるとともに、ＰＨ調整は容易である、しかも水稲苗の出芽に必要な栄養分も与える効果を併せ持つ。籾酢のＰＨは４であり、鶏糞燃焼灰水溶液のＰＨは１１．５（鶏糞燃焼灰の飽和水溶液）であるので籾酢と鶏糞燃焼灰水溶液の混合比を変えることで種々の値のＰＨ調整液を調製することができる。調製した本ＰＨ調整液を山土等の用土に混合することで、適切なＰＨの用土を準備することができる。【００１０】  鶏糞燃焼灰の組成分析例を表１に示す。
【表１】
2014200244.tif 000003
【００１１】  籾酢と鶏糞燃焼灰水溶液との混合比によるＰＨの変化を表２に示す。
なお、鶏糞燃焼灰水溶液は、鶏糞燃焼灰の飽和水溶液を使用した。
【表２】
2014200244.tif 000004
【００１２】  水稲の育苗に使用する培土は、ＰＨを６．５から７．０の範囲にするのが苗の根の成長の面で望ましい。使用する培土は、山土と燻炭を２：１の割合で混合し、ＰＨをＰＨ調整液により６．５から７．０の範囲に調整して使用する。【００１３】また、覆土は，ＰＨを４．５から６．０の範囲にするのが、水稲苗の出芽環境として好適である。使用する覆土は、山土と燻炭を１：１の割合で混合し、ＰＨをＰＨ調整液で調整して使用する。
【発明の効果】
【００１４】  籾酢と籾殻燻炭からなる根域制限材にカルシウム粒状肥料を混合することで適度の比重と非ブロッキング性を持つ根域制限材組成物が得られ、ポット自動播種機でポットへの根域制限材投入効率を上げることが可能になった。この根域制限材組成物は積重ね出芽時のポット同士のつながり防止や、育苗時の根渡りを防止することにより健全な水稲育苗に貢献する。また、籾酢と鶏糞燃焼灰水溶液からなる天然素材のＰＨ調整液を提供することで水稲苗の育成に最適なＰＨの用土を作ることが容易になった。
【図面の簡単な説明】
【００１５】
【図１】  育苗ポット断面図
【図２】  育苗ポットの平面図
【発明を実施するための形態】
【００１５】以下、水稲の播種と育苗の手順を述べる。
１．播種
播種までの手順を下記する。なお、▲６▼から▲９▼の手順は、通常ポット自動播種機で行うが、ここではポット自動播種機を使用しない場合を記載している。
▲１▼ＰＨ４の籾酢に種籾を浸漬後直ぐに引き下げることで種籾の消毒を行う。
▲２▼乾燥させてＰＨ４．５の常温水に二日間浸す。
▲３▼３０℃の催芽器に１０から１２時間入れ、催芽させる。
▲４▼温風強制循環庫内３０℃で筵に広げて完全に催芽させる。催芽器温水催芽は網袋の外側と内側あるいは上下に催芽むらが生じるためである。
▲５▼ポット育苗箱をＰＨ４の籾酢に漬けて消毒する。
▲６▼籾酢を含浸させた籾殻燻炭にカルシウム粒状肥料と亜リン酸粒状肥料をまぶし、ポット育苗箱のポットの底部に投入する。
▲７▼ＰＨ調整液でＰＨを６．５に調整した山土と籾殻燻炭の２：１混合物を培土としてポットに投入する。
▲８▼催芽籾種子を播種する。
▲９▼ＰＨ調整液でＰＨを５に調整した山土と籾殻燻炭の１：１混合物を、播種後のポットに覆土する。
【００１６】２．出芽
▲１▼ポット育苗箱を温風強制循環庫内に２０〜２５枚確実に積重ね、最上部には種子の入ってない土だけの育苗箱を載せる。
▲２▼４０℃で１２時間温風加温後、電源を切る。
▲３▼ポット内の培土の温度が充分に上がるので３日後まで室温３３℃に保持できる。
▲４▼３日後、適当にポット育苗箱の上下入れ替えを行う。
▲５▼１０日間３３℃で温度コントロールしてポット内の水分を全て使い果たして出芽を完成させる
▲６▼本発明の根域制限材の効果によりポットの下からの根の伸長は無かった。
また、出芽苗箱を取り出して加水すると横に伸びていた出芽苗は３０分程で全て立ち上がった。
【００１７】３．根域制限材組成物の調製
▲１▼籾殻燻炭に籾酢を含浸させる。
▲２▼カルシウム粒状肥料と亜リン酸粒状肥料が１０：１の混合物に、籾酢を含浸させた籾殻燻炭を混合し、約６ｍｍの篩で燻炭内の異物を篩分けしたものを根域制限材組成物とする。
カルシウム粒状肥料は田圃に移植後に水稲の茎を丈夫にする効果が有るので、ジャンボタニシはこれを嫌い、代わりに雑草を食べるので除草効果も期待でき、除草剤も不要となる。
また、亜リン酸粒状肥料は水溶解性が高く、根や葉からすばやく吸収され水稲苗の根を活性化する等の特長がある。
【００１８】  上記のように本発明の根域制限材を使用した水稲ポット苗は約３日で出芽苗ができるが、そのまま１０日間ほど出芽庫に入れたままでも根がらみは発生しなかった。
【符号の説明】
【００１９】１  育苗ポット
２  覆土
３  種籾
４  培土
５  根域制限材組成物
６  透水孔
【図１】
2014200244.tif 000005
【図２】
2014200244.tif 000006